(57)【特許請求の範囲】
【請求項１】
被読取媒体上に形成された画像情報を、ネットワークを介して送信相手先へ送信可能なインターネットファクシミリ装置であって、
前記被読取媒体上に形成された画像情報を読取可能な画像読取部と、
前記送信相手先の送信先アカウント及び送信先ドメイン名からなる送信先メール・アドレスを含む宛先情報を入力可能な宛先入力部と、
前記画像情報の一部に各種送信情報を添付可能な送信情報添付部と、
前記送信先ドメイン名を指定可能な送信先ドメイン名指定部とを備え、
前記送信情報添付部は、前記宛先入力部を介して入力された宛先情報に含まれる送信先ドメイン名が前記送信先ドメイン名指定部を介して指定された送信先ドメイン名と一致する場合、前記各種送信情報を添付に、前記宛先入力部を介して入力された宛先情報に含まれる送信先ドメイン名が前記送信先ドメイン名指定部を介して指定された送信先ドメイン名と一致しない場合、前記各種送信情報を非添付に選択的に決定することを特徴とするインターネットファクシミリ装置。
【請求項２】
被読取媒体上に形成された画像情報を、ネットワークを介して送信相手先へ送信可能なインターネットファクシミリ装置であって、
前記被読取媒体上に形成された画像情報を読取可能な画像読取部と、
前記送信相手先の送信先アカウント及び送信先ドメイン名からなる送信先メール・アドレスを含む宛先情報を入力可能な宛先入力部と、
前記画像情報の一部に各種送信情報を添付可能な送信情報添付部と、
前記送信先ドメイン名を指定可能な送信先ドメイン名指定部とを備え、
前記送信情報添付部は、前記宛先入力部を介して入力された宛先情報に含まれる送信先ドメイン名が前記送信先ドメイン名指定部を介して指定された送信先ドメイン名と一致する場合、前記各種送信情報を非添付に、前記宛先入力部を介して入力された宛先情報に含まれる送信先ドメイン名が前記送信先ドメイン名指定部を介して指定された送信先ドメイン名と一致しない場合、前記各種送信情報を添付に選択的に決定することを特徴とするインターネットファクシミリ装置。
【請求項３】
被読取媒体上に形成された画像情報を、ネットワークを介して送信相手先へ送信可能なインターネットファクシミリ装置であって、
前記被読取媒体上に形成された画像情報を読取可能な画像読取部と、
前記送信相手先の送信先アカウント及び送信先ドメイン名からなるとともに入力部を介して入力された送信先メール・アドレスを取得する取得手段と、
送信元を特定する送信元アカウント及び送信元ドメイン名からなる送信元メール・アドレスを記憶する記憶手段と、
前記画像情報の一部に各種送信情報を添付可能な送信情報添付部とを備え、
前記送信情報添付部は、前記送信元メール・アドレスに含まれる送信元ドメイン名と前記送信先メール・アドレスに含まれる送信先ドメイン名とが一致するか否かに応じて、前記各種送信情報の添付／非添付を選択的に決定することを特徴とするインターネットファクシミリ装置。
【請求項４】
前記送信情報添付部は、前記送信元ドメイン名と送信先ドメイン名とが一致する場合、前記各種送信情報を添付せずに画像情報を送信することを特徴とする請求項３に記載のインターネットファクシミリ装置。
【請求項５】
前記送信情報添付部は、前記送信元ドメイン名と送信先ドメイン名とが一致せず、送信先メール・アドレスに対して、前記各種送信情報が非添付に設定された場合、送信情報を添付せずに画像情報を送信することを特徴とする請求項３に記載のインターネットファクシミリ装置。
【請求項６】
前記送信情報添付部は、前記送信元ドメイン名と送信先ドメイン名とが一致せず、送信先メール・アドレスに対して、前記各種送信情報が添付に設定された場合、送信情報を添付するとともに画像情報を送信することを特徴とする請求項３に記載のインターネットファクシミリ装置。
【発明の詳細な説明】
【０００１】
【発明の属する技術分野】
本発明は、被読取媒体上に形成された画像情報を、ネットワーク（通信回線網）を介して送信相手先へ送信可能なインターネットファクシミリ装置に係り、特に、送信相手先に応じて選択的に各種送信情報（ヘッダ情報）を添付することにより、利便性の向上を可能としたインターネットファクシミリ装置に関するものである。
【０００２】
【従来の技術】
従来より、被読取媒体上に形成された画像情報を、ネットワーク（通信回線網）を介して、送信相手先へ送信可能なインターネットファクシミリ装置が実用化されている。
【０００３】
このようなインターネットファクシミリ装置は、被読取媒体上に形成された画像情報を読取可能な画像読取部、送信相手先の宛先情報（送信相手先ファクシミリ番号や送信相手先メール・アドレス）を入力可能な宛先入力部、及び、送信元、送信日、送信時間、送信枚数等からなる各種送信情報（ヘッダ情報）を添付可能な送信情報添付部等から構成されている。このように構成されたインターネットファクシミリ装置は、画像読取部を介して読み取った画像情報の一部（最上端や最下端等の画像情報読取範囲に支障がない部分）に、各種送信情報を添付するとともに、ネットワークを介して接続された送信相手先へ上述した画像情報を送信している。この送信相手先では、被読取媒体上に形成された画像情報の一部に各種送信情報が添付された状態で画像情報を受信するため、受信した画像情報に添付された各種送信情報の内容を参照することにより、その画像情報が何時、誰から、何枚送信されたものであるかを、容易に判断することが可能である。
【０００４】
【発明が解決しようとする課題】
しかしながら、上述したインターネットファクシミリ装置では、送信相手先の要望（受信する画像情報を、被読取媒体と同一のものにしたい場合等）や、送信元の都合（送信する画像情報を、匿名のものにしたい場合等）によって、各種送信情報を非添付とすることが望ましい場合があった。このような場合が生じる度に、使用者は送信元であるインターネットファクシミリ装置において、各種送信情報に関する様々な設定を変更する必要があり、非常に不便なものであった。
【０００５】
本発明は、上記問題点に鑑みてなされたものであり、各種送信情報（ヘッダ情報）を送信相手先に応じて選択的に添付することにより、利便性の向上を可能としたインターネットファクシミリ装置を提供することを目的としている。
【０００６】
【課題を解決するための手段】
上記目的を達成するために、請求項１に記載のインターネットファクシミリ装置は、被読取媒体上に形成された画像情報を、ネットワークを介して送信相手先へ送信可能なインターネットファクシミリ装置であって、被読取媒体上に形成された画像情報を読取可能な画像読取部と、前記送信相手先の送信先アカウント及び送信先ドメイン名からなる送信先メール・アドレスを含む宛先情報を入力可能な宛先入力部と、前記画像情報の一部に各種送信情報を添付可能な送信情報添付部と、前記送信情報添付部は、前記宛先入力部を介して入力された宛先情報に含まれる送信先ドメイン名が前記送信先ドメイン名指定部を介して指定された送信先ドメイン名と一致する場合、前記各種送信情報を添付に、前記宛先入力部を介して入力された宛先情報に含まれる送信先ドメイン名が前記送信先ドメイン名指定部を介して指定された送信先ドメイン名と一致しない場合、前記各種送信情報を非添付に選択的に決定することを特徴とするものである。
【０００７】
このインターネットファクシミリ装置によれば、送信相手先の宛先情報に応じて、画像情報の一部に各種送信情報の添付／非添付が選択的に決定される。これにより、宛先情報に応じて各種送信情報の添付／非添付が選択的に決定されるので、常に、各種送信情報を添付、あるいは、非添付としたい送信相手先であるにも拘わらず、画像情報を送信する度に、各種送信情報に関する様々な設定を変更する必要がなくなり、使用者にかかる手間や負担を良好に低減させることが可能となる。
【０００８】
【０００９】
また、このインターネットファクシミリ装置によれば、宛先入力部を介して入力された宛先情報が有するドメイン名と、ドメイン指定部を介して指定されたドメイン名との一致／不一致に応じて、画像情報の一部に各種送信情報の添付／非添付が選択的に決定される。これにより、送信相手先のドメイン名毎に各種送信情報の添付／非添付を選択的に設定可能となるので、各種送信情報の添付／非添付の設定が容易となり、使用者にかかる手間や負担を良好に低減させることが可能となる。
【００１０】
更に、請求項３に記載のインターネットファクシミリ装置は、被読取媒体上に形成された画像情報を、ネットワークを介して送信相手先へ送信可能なインターネットファクシミリ装置であって、前記被読取媒体上に形成された画像情報を読取可能な画像読取部と、前記送信相手先の送信先アカウント及び送信先ドメイン名からなるとともに入力部を介して入力された送信先メール・アドレスを取得する取得手段と、送信元を特定する送信元アカウント及び送信元ドメイン名からなる送信元メール・アドレスを記憶する記憶手段と、前記画像情報の一部に各種送信情報を添付可能な送信情報添付部とを備え、前記送信情報添付部は、前記送信元メール・アドレスに含まれる送信元ドメイン名と前記送信先メール・アドレスに含まれる送信先ドメイン名とが一致するか否かに応じて、前記各種送信情報の添付／非添付を選択的に決定することを特徴とするものである。
【００１１】
このインターネットファクシミリ装置によれば、送信元ドメイン名と送信先ドメイン名との一致／不一致に応じて、画像情報の一部に各種送信情報の添付／非添付が選択的に決定される。これにより、送信元のドメイン名と同一のドメイン名を有する送信相手先と、送信元のドメイン名と異なるドメイン名を有する送信相手先とで、各種送信情報の添付／非添付を切り換えることが可能となり、使用者にかかる手間や負担を良好に低減させることが可能となる。
【００１２】
【発明の実施の形態】
以下、本発明の好ましい実施の形態を、図面を参照しつつ詳細に説明する。
【００１３】
図１は、本発明の一実施形態に係るインターネットファクシミリ装置の概略構成を示すブロック図である。
【００１４】
図１に示されるように、このインターネットファクシミリ装置１０は、記録印字すべき画像情報（文字や数字等を含む意である）を被記録媒体上に形成可能な画像形成部１４、光学系読取装置を備えることにより被読取媒体上に形成された画像情報を読取可能な画像読取部１６、図示しないパーソナルコンピュータとの情報交換等を可能にするパーソナルコンピュータインターフェース部（ＰＣインターフェース部）１８、画像読取部１６を介して読み取られた画像情報を圧縮したり、受信した画像情報等を伸張する情報圧縮／伸張部２０、インターネットファクシミリ装置１０によるデータの送受信処理を直接制御する通信機能部２２、音声やエラー音を出力可能なスピーカ３４、後述する送信情報添付処理プログラムやフォントデータ等を記憶するＲＯＭ３６、後述するパネル操作部４６を介して入力された送信相手先の宛先情報（送信相手先ファクシミリ番号や送信相手先メール・アドレス）等を登録・記憶したり、送信相手先毎に送信元、送信日、送信時間、送信枚数等からなる各種送信情報（ヘッダ情報）の添付／非添付設定を登録・記憶可能なＥＥＰＲＯＭ３８、各種情報を記憶・消去可能なＲＡＭ４０、使用者からの操作指示を入力可能なキースイッチ類や、各種処理結果を表示可能な図示しない液晶ディスプレイ等を備えるパネル操作部４６等がバス５４を介して接続されているＣＰＵ１２によって統制・制御されている。
【００１５】
尚、通信機能部２２は、画像情報の一部（最上端や最下端等の画像情報読取範囲に支障がない部分）に各種送信情報を添付可能な送信情報添付部２４、通信に関する統制・制御を行う通信制御部２６、後述する一般公衆回線５６（図２参照）との回線制御を行う回線制御部２８、後述するＬＡＮ（Local  Area  Network）６８（図２参照）との回線制御を行うネットワーク制御部３０、及び、信号の変調及び復調を行うモデム３２等から構成されている。
【００１６】
また、ＲＡＭ４０は、送信した画像情報に関する各種送信情報を複数件数記憶可能な送信情報メモリ４２、画像情報の送受信等を実行する際に必要となるデータを一時的に記憶することが可能なワークメモリ４４等から構成されている。
【００１７】
更に、パネル操作部４６は、送信相手先ファクシミリ番号や各種数値情報等を入力可能なテンキー４８、送信相手先メール・アドレスや送信相手先の名前等を入力可能なキャラクターキー５０、各種送信情報の添付／非添付を選択的に設定可能な添付／非添付設定キー５２等から構成されている。
【００１８】
図２は、図１に示したインターネットファクシミリ装置１０と、このインターネットファクシミリ装置１０に接続されている通信回線網との概略構成を示したブロック図である。尚、この図２では、図を簡略化するために、インターネットファクシミリ装置１０によって通信を行う際に重要となる通信機能部２２を主に図示することとし、他のインターネットファクシミリ装置１０を構成する構成要素の図示は省略することとする。
【００１９】
図２に示されるように、上述したインターネットファクシミリ装置１０は、一般公衆回線５６及びインターネットプロバイダ６０を介して回線制御部２８とインターネット６２とを接続したり、ＬＡＮ６８を介してネットワーク制御部３０とインターネット６２とを接続したりすることが可能である。また、送信相手先ファクシミリ装置Ａ（送信相手先ＦＡＸ装置Ａ）５８、及び、送信相手先パーソナルコンピュータ（送信相手先ＰＣ）６６は、送信相手先プロバイダＡ６４を介してインターネット６２と接続されており、更に、送信相手先ファクシミリ装置Ａ５８は一般公衆回線５６とも接続されている。同様に、送信相手先ファクシミリ装置Ｂ（送信相手先ＦＡＸ装置Ｂ）５９は、送信相手先プロバイダＢ６１を介してインターネット６２と接続されている。更に、送信相手先ファクシミリ装置Ｃ（送信相手先ＦＡＸ装置Ｃ）６３は、インターネットファクシミリ装置１０と同一のＬＡＮ６８を介してインターネット６２と接続されている。尚、インターネットファクシミリ装置１０、送信相手先ファクシミリ装置Ａ５８、送信相手先ファクシミリ装置Ｂ５９、及び、送信相手先ファクシミリ装置Ｃ６３は、それぞれabc@de.fgh.co.jp、lmn@op.qrs.co.jp、tuv@wx.yza.co.jp、ijk@de.fgh.co.jpと示される固有のメール・アドレスを所有している。このメール・アドレスは、＠（アットマーク）の前方（左側）に示されるアカウントと、＠（アットマーク）の後方（右側）に示されるドメイン名とから構成されており、ドメイン名は、日本（jp）やフランス（fr）等を示す国名、及び、政府（go、gov）や企業（co、com）等を示す機関等から構成される組織名を示す一方、アカウントは、その組織内に属するユーザを識別するためのユーザ名を示している。また、送信相手先ファクシミリ装置Ａ５８は、一般公衆回線５６を介して接続可能な所定の送信相手先ファクシミリ番号を有している。
【００２０】
次に、上述した送信相手先に画像情報を送信する際に、その送信相手先のメール・アドレスに応じて、画像情報の一部に各種送信情報を選択的に添付する送信情報添付処理について、図３に示す送信情報添付処理フローチャートを参照しながら詳細に説明する。
【００２１】
まず、使用者によって画像読取部１６に被読取媒体がセットされたかを判断する（Ｓ１）。ここで、画像読取部１６に被読取媒体がセットされていない場合（Ｓ１：ＮＯ）は、使用者によって画像読取部１６に被読取媒体がセットされるまで待機状態となる。使用者は、この待機状態（Ｓ１：ＮＯ）において、パネル操作部４６に設けられた添付／非添付設定キー５２を操作することにより、送信相手先を特定する送信相手先メール・アドレス毎や、送信相手先メール・アドレスを構成するドメイン名毎に、各種送信情報の添付／非添付を設定することが可能である。尚、以下に示す送信情報添付処理では、送信元であるインターネットファクシミリ装置１０と同一のドメイン名（de.fgh.co.jp）を有するメール・アドレス、及び、使用者によって選択された特定のメール・アドレス（lmn@op.qrs.co.jp）に送信される画像情報には、各種送信情報を非添付にする設定を行ったものとする。
【００２２】
一方、使用者によって画像読取部１６に被読取媒体がセットされた場合（Ｓ１：ＹＥＳ）は、パネル操作部４６を介して入力された送信相手先のメール・アドレスを確認する（Ｓ３）。そして、次にこの入力された送信相手先メール・アドレスが、インターネットファクシミリ装置１０（abc@de.fgh.co.jp）と同一ドメイン名（de.fgh.co.jp）を有するか判断する（Ｓ５）。ここで、送信相手先メール・アドレスが、インターネットファクシミリ装置１０と同一ドメイン名を有する場合（Ｓ５：ＹＥＳ）は、画像読取部１６にセットされた被読取媒体上の画像情報を読み取るとともに（Ｓ１１）、その画像情報を送信相手先に送信して（Ｓ１３）、この送信情報添付処理を終了する。
【００２３】
また、Ｓ５の判断において、送信相手先メール・アドレスが有するドメイン名がインターネットファクシミリ装置１０が有するドメイン名と同一でない場合（Ｓ５：ＮＯ）は、次に、パネル操作部４６に設けられた添付／非添付設定キー５２を介して、予め各種送信情報を非添付とする設定がされたメール・アドレス（lmn@op.qrs.co.jp）であるかを判断する（Ｓ７）。ここで、予め各種送信情報を非添付とする設定がされたメール・アドレス（lmn@op.qrs.co.jp）であった場合（Ｓ７：ＹＥＳ）は、画像読取部１６にセットされた被読取媒体上の画像情報を読み取るとともに（Ｓ１１）、その画像情報を送信相手先に送信して（Ｓ１３）、この送信情報添付処理を終了する。
【００２４】
更に、Ｓ７の判断において、送信相手先メール・アドレスが、予め各種送信情報を非添付とする設定がされたメール・アドレス（lmn@op.qrs.co.jp）と一致しない場合（Ｓ７：ＮＯ）は、送信情報添付部２４を介して被読取媒体上に形成された画像情報の一部に、各種送信情報を添付しながら（Ｓ９）、画像読取部１６にセットされた被読取媒体上の画像情報を読み取るとともに（Ｓ１１）、その画像情報を送信相手先に送信して（Ｓ１３）、この送信情報添付処理を終了する。
【００２５】
次に、図３に示す送信情報添付処理フローチャートに従って、送信情報添付処理を実行した際に得られる送信情報添付処理結果を、図４乃至図６を参照しながら詳細に説明する。尚、図４（Ａ）、図５（Ａ）、及び、図６（Ａ）は、インターネットファクシミリ装置１０を介して送信相手先へ画像情報を送信する際のデータ内容、図４（Ｂ）、図５（Ｂ）、及び、図６（Ｂ）は、被読取媒体上に形成された画像情報、図４（Ｃ）、図５（Ｃ）、及び、図６（Ｃ）は、送信相手先において受信された画像情報である。また、図４（Ａ）、図５（Ａ）、及び、図６（Ａ）に示されるデータ内容は、インターネット電子メール標準であるＭＩＭＥ（Multipurpose  Internet  Mail  Extensions）の規格に準じた形式で形成されており、被読取媒体上に形成された画像情報をＴＩＦＦ−Ｆ形式の画像データに変換したものの他に、画像情報の送受信に必要となる様々な情報が含有されている。
【００２６】
図４は、インターネットファクシミリ装置１０（abc@de.fgh.co.jp）（図４（Ａ）、From参照）から送信相手先ファクシミリ装置Ｃ６３（ijk@de.fgh.co.jp）（図４（Ａ）、To参照）へ、１９９９年１月１４日木曜日の１４時２１分（図４（Ａ）、Date参照）に日本地図に関する画像情報（図４（Ａ）、Subject参照）を送信した場合の送信情報添付処理結果を示している。この送信相手先ファクシミリ装置Ｃ６３（ijk@de.fgh.co.jp）は、インターネットファクシミリ装置１０（abc@de.fgh.co.jp）と同一のドメイン名（de.fgh.co.jp）を有することから、図３に示す送信情報添付処理フローチャートのＳ５の判断において、インターネットファクシミリ装置１０と同一ドメイン名を有すると判断される（Ｓ５：ＹＥＳ）。このため、送信相手先ファクシミリ装置Ｃ６３において受信される画像情報は、各種送信情報が添付されずに、被読取媒体の画像情報（図４（Ｂ）参照）と同一の画像情報（図４（Ｃ）参照）となる。
【００２７】
また、図５は、インターネットファクシミリ装置１０（abc@de.fgh.co.jp）（図５（Ａ）、From参照）から送信相手先ファクシミリ装置Ａ５８（lmn@op.qrs.co.jp）（図５（Ａ）、To参照）へ、１９９９年１月１４日木曜日の１４時２１分（図５（Ａ）、Date参照）に日本地図に関する画像情報（図５（Ａ）、Subject参照）を送信した場合の送信情報添付処理結果を示している。この送信相手先ファクシミリ装置Ａ５８（imn@op.qrs.co.jp）は、インターネットファクシミリ装置１０（abc@de.fgh.co.jp）と同一のドメイン名（de.fgh.co.jp）を有していないが（Ｓ５：ＮＯ）、予め添付／非添付設定キー５２を介して各種送信情報を非添付とする設定が行われたメール・アドレス（lmn@op.qrs.co.jp）であることから、図３に示す送信情報添付処理フローチャートのＳ７の判断において、指定メール・アドレスであると判断される（Ｓ７：ＹＥＳ）。このため、送信相手先ファクシミリ装置Ａ５８において受信される画像情報は、各種送信情報が添付されずに、被読取媒体の画像情報（図５（Ｂ）参照）と同一の画像情報（図５（Ｃ）参照）となる。
【００２８】
更に、図６は、インターネットファクシミリ装置１０（abc@de.fgh.co.jp）（図６（Ａ）、From参照）から送信相手先ファクシミリ装置Ｂ５９（tuv@wx.yza.co.jp）（図６（Ａ）、To参照）へ、１９９９年１月１４日木曜日の１４時２１分（図６（Ａ）、Date参照）に日本地図に関する画像情報（図６（Ａ）、Subject参照）を送信した場合の送信情報添付処理結果を示している。この送信相手先ファクシミリ装置Ｂ５９（tuv@wx.yza.co.jp）は、インターネットファクシミリ装置１０（abc@de.fgh.co.jp）と同一のドメイン名（de.fgh.co.jp）を有しておらず（Ｓ５：ＮＯ）、かつ、予め添付／非添付設定キー５２を介して各種送信情報を非添付とする設定が行われたメール・アドレス（imn@op.qrs.co.jp）とも一致しない（Ｓ７：ＮＯ）ことから、画像情報の一部に各種送信情報が添付される（Ｓ９）。このため、送信相手先ファクシミリ装置Ｂ５９において受信される画像情報は、被読取媒体の画像情報（図６（Ｂ）参照）の最上端に、各種送信情報が添付された状態の画像情報（図６（Ｃ）参照）となる。
【００２９】
以上説明したように、このインターネットファクシミリ装置１０によれば、各種送信情報を送信相手先の宛先情報に応じて、選択的に添付することが可能であるので、各種送信情報を添付しないことを望む送信相手先を、添付／非添付設定キー５２を介してＥＥＰＲＯＭ３８に記憶することにより、送信相手先に画像情報を送信する度に、各種送信情報に関する様々な設定を切り換える必要がないので、使用者にかかる手間や負担を良好に低減させることが可能となる。
【００３０】
また、送信相手先の宛先情報が有するドメイン名と、送信元であるインターネットファクシミリ装置１０が有するドメイン名とが一致する場合（Ｓ５：ＹＥＳ）は、各種送信情報を非添付にするといったように、送信相手先のドメイン名によって、各種送信情報の添付／非添付を選択的に切り換えることが可能であるので、使用者にかかる手間や負担を良好に低減させることが可能となる。
【００３１】
尚、本発明は上記実施形態に限定されるものではなく、本発明の要旨を逸脱しない範囲で種々の改良、変形が可能であることは勿論である。例えば、本実施形態に係るインターネットファクシミリ装置１０では、インターネットファクシミリ装置１０が有するドメイン名と、送信相手先の宛先情報が有するドメイン名とが一致した場合に、各種送信情報を非添付とする例を挙げて説明したが、勿論これに限られるものではなく、インターネットファクシミリ装置１０が有するドメイン名と、送信相手先の宛先情報が有するドメイン名とが一致した場合に、各種送信情報を添付する構成としても同様な効果が得られることは言うまでもない。
【００３２】
また、本実施形態に係るインターネットファクシミリ装置１０では、送信相手先の宛先情報が送信相手先メール・アドレスである場合を例に挙げて記載したが、勿論これに限られることなく、送信相手先の宛先情報が送信相手先ファクシミリ電話番号であっても同様な効果が得られることは言うまでもない。
【００３３】
【発明の効果】
以上説明したように、請求項１又は請求項２に記載のインターネットファクシミリ装置によれば、宛先情報に応じて各種送信情報の添付／非添付が選択的に決定されるので、常に、各種送信情報を添付、あるいは、非添付としたい送信相手先であるにも拘わらず、画像情報を送信する度に、各種送信情報に関する様々な設定を変更する必要がなくなり、使用者にかかる手間や負担を良好に低減させることが可能となる。
【００３４】
また、請求項１又は請求項２に記載のインターネットファクシミリ装置によれば、送信相手先のドメイン名毎に各種送信情報の添付／非添付を選択的に設定可能となるので、各種送信情報の添付／非添付の設定が容易となり、使用者にかかる手間や負担を良好に低減させることが可能となる。
【００３５】
更に、請求項３に記載のインターネットファクシミリ装置によれば、送信元のドメイン名と同一のドメイン名を有する送信相手先と、送信元のドメイン名と異なるドメイン名を有する送信相手先とで、各種送信情報の添付／非添付を切り換えることが可能となり、使用者にかかる手間や負担を良好に低減させることが可能となる。
【図面の簡単な説明】
【図１】  本実施形態に係るインターネットファクシミリ装置の概略構成を示すブロック図である。
【図２】  インターネットファクシミリ装置と、インターネットファクシミリ装置と接続されている通信回線網との概略構成を示したブロック図である。
【図３】  送信情報添付処理を示す送信情報添付処理フローチャート図である。
【図４】  送信情報添付処理結果を示す図である。
【図５】  送信情報添付処理結果を示す図である。
【図６】  送信情報添付処理結果を示す図である。
【符号の説明】
１０  インターネットファクシミリ装置
１６  画像読取部
２２  通信機能部
２４  送信情報添付部
２６  通信制御部
２８  回線制御部
３０  ネットワーク制御部
３６  ＲＯＭ
３８  ＥＥＰＲＯＭ
４０  ＲＡＭ
４４  ワークメモリ
４６  パネル操作部
４８  テンキー
５０  キャラクターキー
５２  添付／非添付設定キー
５８  送信相手先ファクシミリ装置Ａ
５９  送信相手先ファクシミリ装置Ｂ
６０  インターネットプロバイダ
６１  送信相手先プロバイダＢ
６２  インターネット
６３  送信相手先ファクシミリ装置Ｃ
６４  送信相手先プロバイダＡ
６８  ＬＡＮ
【図１】
0004228449.tif 000002
【図２】
0004228449.tif 000003
【図３】
0004228449.tif 000004
【図４】
0004228449.tif 000005
【図５】
0004228449.tif 000006
【図６】
0004228449.tif 000007